(57)【要約】      （修正有）【課題】  錠剤などの薬剤を収納できるとともに笛機能を有する携帯薬剤収納ケースを提供すること。【解決手段】  本願発明の携帯薬剤収納ケースは、プラスチック製樹脂から成形された表面側部分と裏面側部分とからなる本体と、該本体の下側に形成され、本体内部において該本体内部と連通するようになった低部に孔が形成された下側突出部分とから構成されている。収納ケースの本体は、内部において左右に長手方向に延びる第１、第２の空間が形成され、該第１及び第２の空間の間には第３の空間が形成されている。第１と第２の空間には錠剤やカプセルなどの薬剤を収納できるようになっている。第３の空間は下側突出部分と空気連通するようになっているために、下側突出部分に形成された孔から空気を吹き込むと第３の空間を介し、本体の裏面に形成された孔から音が発生し、笛として機能するようになっている。【選択図】          図２
2007061244.tif 000002
【特許請求の範囲】
【請求項１】
プラスチック製樹脂から成形された表面側部分と裏面側部分とからなる本体と、該本体の下側に形成され前記本体と内部において連通するようになった低部に孔が形成された下側突出部分とからなる携帯薬剤収納ケースであって、
前記本体は、内部において左右に長手方向に延びる第１、第２の空間が形成され、該第１及び第２の空間の間には第３の空間が形成され、該第３の空間が前記下側部分と空気連通するようになっており、
前記第１及び第２の空間内には薬剤を収納できるようになっており、前記下側突出部分の前記孔から空気を吹き込むことにより前記第３の空間を介し、前記本体の裏面側部分に形成された孔から音が発生し笛として機能するようになっていることを特徴とする携帯薬剤収納ケース。
【請求項２】
請求項１に記載した携帯薬剤収納ケースであって、前記本体の上部には、前記携帯薬剤収納ケースを吊り下げるための吊り下げ部分が形成され、該吊り下げ部分の上方には、前記収納ケースを吊り下げるための部品を通すための孔が形成されていることを特徴とする携帯薬剤収納ケース。
【請求項３】
請求項１または２に記載した携帯薬剤収納ケースであって、前記本体の裏面両側部には、脚部が形成されており、前記脚部間にベルトなどを通することができるようにして着用者が身に付けることができるようになっていることを特徴とする携帯薬剤収納ケース。
【請求項４】
請求項１から３のいずれかに記載した携帯薬剤収納ケースであって、前記本体の表面側部分の外表面には、着用者等が記入可能なシールが貼り付けることができるようになっていることを特徴とする携帯薬剤収納ケース。
【発明の詳細な説明】
【技術分野】
【０００１】
本発明は、携帯薬剤ケースに関する。より具体的には、緊急時に他人をひきつけることができる携帯薬剤ケースに関する。
【背景技術】
【０００２】
例えば、心臓病を患っているような人が外出したり、スポーツをするような場合、突然発作がおきるようなことがある。また、スポーツに限らず、災害のような緊急事態が発生し、薬をすぐに飲まなければならないような状況が起こり得る。このような持病を有する患者が、自分の身体の変調に気がつき、自分自身で、例えば心臓発作を抑えるニトログリセリンといった薬剤を飲むことができれば、一応そのような発作を鎮めることができる。しかし、自分自身で飲むことができないような状態に陥ったときは、傍にいる他人が気がつき手当てをしてくれればよいが、そのような時でも、その他人はどういう処置をすればよいのか理解できないことが多い。また、救急車等を呼んだとしても、特に心臓発作の場合は時間の経過が命とりになることが多く、一刻を争う状態となり間に合わない場合も有り得る。
【０００３】
従来、このような病気を持つ人は、外出等する際には、発作等を鎮静するための薬を常備するために、ピルケースなどの容器に収納して、あるいは薬を自分の服のポケットやバックにそのまま所持していることが多い。
しかし、このような所持の仕方では、上述したような緊急状態が発生し、薬をすぐにでも飲まなければいけないようなとき、バッグなどから取り出して自分で飲むことができればよいが、他人の手を借りて飲む必要性が発生すると、その他人はどのような処置をしてよいかわからない。また、他人が傍にいないときなど、他人をひきつける必要性が発生する場合もある。
【０００４】
従前には、防犯機能としてホイッスルや電子ブザーといった携帯機器は存在していたものの、持病の発作などが発生したときに、即座に薬を取り出せるとともに、他人に緊急事態を通知できるような薬剤用ケースはなかった。
【発明の開示】
【発明が解決しようとする課題】
【０００５】
本発明は、上記のような欠点を解決するためのものであり、薬剤を収納するとともに、危険な状態に陥ったときに他人をひきつけるための笛機能を有し、さらに、他人がどのような処置をしたらよいのかの処方方法が理解できるようになった、ペンダント型もしくはベルトなどに取り付けられるようになった笛機能を有する携帯薬剤収納ケースを提供するものである。
【課題を解決するための手段】
【０００６】
上記課題を解決するために、本願発明の携帯薬剤収納ケースは、プラスチック製樹脂から成形された表面側部分と裏面側部分とからなる本体と、該本体の下側に形成され、本体と内部において連通するようになった低部に孔が形成された下側突出部分とから構成されている。収納ケースの本体は、内部において左右に長手方向に延びる第１、第２の空間が形成され、該第１及び第２の空間の間には第３の空間が形成されている。第１と第２の空間には錠剤やカプセルなどの薬剤を収納できるようになっている。第３の空間は下側突出部分と空気連通するようになっているために、下側突出部分に形成された孔から空気を吹き込むと第３の空間を介し、本体の裏面に形成された孔から音が発生し、笛として機能するようになっている。
本発明の好ましい態様において、本体の上部には、携帯薬剤収納ケースを吊り下げるための吊り下げ部分が形成され、該吊り下げ部分の上方には、収納ケースを吊り下げるための部品を通すための孔が形成されている。
【０００７】
本発明の別の態様において、本体の裏面両側部には、脚部が形成されており、前記脚部間にベルトなどを通することができるようにして収納ケースを着用者が身に付けることができるようになっている。
さらに、本発明の好ましい態様において、本体の表面側部分の表側には、着用者等が記入可能なシールが貼り付けることができるようになっている。このシールには、着用者が服用する薬剤名や、病名、緊急連絡先などといった緊急事態に応じた情報を記入できるようになっている。
【発明の効果】
【０００８】
本件発明に係るプラスチック樹脂から成形された携帯薬剤収納ケースは錠剤、カプセルなどといった薬剤は確実に収納できるとともに、緊急事態に使用できる笛機能を有する。従って、本発明の携帯薬剤収納ケースを所持していれば、もし持病などによる身体的な異変が発生したときには、自らが収納ケースに収められた薬を飲むことができるし、もしくは傍にいる人に笛機能を使用することで助けを得て薬を飲むことができるといった大きな効果を有する。また、本発明に係る携帯薬剤収納ケースは、着用者の負担にならぬように、ペンダントのように吊り下げたり、あるいはすぐ手の届く範囲にあるベルトのような装身具に装着することも可能であるから、緊急時において、極めて有用である。
【発明を実施するための最良の形態】
【０００９】
以下、本発明による携帯薬剤収納ケース１の一実施例を図について説明する。図１は、本件発明に係る携帯薬剤収納ケース１の概略斜視図である。収納ケース１は、吊り下げ部分８、本体部分１０及び笛部分９とからなる。ケースの開閉は開閉ツメ１５により行なわれ、笛部分９を吹くことにより笛機能が発揮され、さらに吊り下げ部分８の貫通孔に紐などを通し収納ケース１を吊り下げることができるようになっている。
図２の（ａ）は、本発明による携帯薬剤収納ケース１が完成されたときの正面図であり、（ｂ）は携帯薬剤収納ケース１の背面図である。本発明の携帯薬剤収納ケース１は、表面側部分２と裏面側部分３とから構成される。表面側部分２と裏面側部分３は、それぞれアクリル樹脂、ポリカーボネート、ＡＢＳ樹脂、ポリプロピレンなどの透明または半透明に着色された樹脂から成形されることが好ましい。収納ケース１は、吊り下げ部分８、本体部分１０、笛部分９からなる。本体部分１０の形状は本実施形態では矩形形状であるが、様々な形状から選択可能である。また、吊り下げ部分８は本実施形態では三角形状となっているが、このような形状に限定されものではなく、設計可能なデザインであればいかなるものでもよい。吊り下げ部分８の頂上部には貫通孔４が形成されている。これは、後述するが、ケース１をペンダントヘッドのような使用状態において、紐や鎖といった首から下げるための部品を通すための孔である。ケース１の笛部分９の低面部には笛としてケース１を機能させるための笛の空気孔５が形成されている。笛部分９は、使用者が該笛部分９を口に挟み、空気孔５から空気を吹き込めるような大きさであればよい。さらに、本体部分１の表面側の殆どの領域は、シールを貼り付けるための座７が形成されるようになっている。後述するが、貼り付け座７に貼り付けるシールには、これを所持する人の病名、収納されている薬剤名、緊急連絡先等といった情報が記載されればよい。
【００１０】
図３の（ａ）は、図２に図示した収納ケース１が完全体のときのＩ−Ｉ線における断面図であり、（ｂ）は、図２（ａ）のII−II線における断面図である。
図３の（ａ）を参照すると、ケース１の笛部分９に形成された笛の空気孔５を介し笛が吹かれたときに音を出すための空気孔６が裏面側部分３の、縦方向のほぼ中央の位置に形成されている。図３（ｂ）を参照すると、本体１０が内部において３つに区分され、ニトログリセリンなどの錠剤を収納するための空間１２、１３が左右に形成されており、これらの間に位置する空間１１は笛のための空間である。具体的には、笛空気孔５から空気が吹き込まれると、空間１１が振動し、振動が空間を伝わって、空気孔６から笛の音が発生することになる。空間１２、１３は、それぞれ所定の薬剤が少なくとも１個以上収納できる程度のスペースを有するものであればよい。
【００１１】
さらに、詳細に本発明に係る収納ケース１を説明するために図４と図５を参照する。
図４（ａ）は、収納ケース１が表面側部分２と裏面側部分３とに分離されたときの、単体となった表面側部分２を内部からみたときの正面図であり、（ｂ）は（ａ）のIII−III線における断面図であり、（ｃ）はIV−IV線における断面図である。表面側部分２は、該表面側部分の外周を画定する一連の縁１８を有する。縁１８は図４の（ａ）からわかるように、矩形形状の本体部分と本体部分の下側に笛部分を形成するためのコ状の部分とが組み合わされた形状を有する。図４（ａ）、（ｃ）を参照すると、本体の縦方向の長さにわたるリブ１６ａ、ｂが本体の内面上端部の所定の位置から外方に向かって突出して延びるように形成されている。リブの突出長さは、表面側部分２と裏面側部分３とが組み合わされると、リブ１６ａ、ｂが裏面側部分３の内部表面に当接するような長さであればよい。リブ１６ａ、ｂにより本体内部が仕切られて本体長手方向に３つの空間を形成するようになる。本体１０の内部空間を２つのリブ１６ａ、ｂが仕切ることにより、組立後において、錠剤等を収納するための空間１２、１３が本体左右側部側に形成され、笛の音を出すための空間１１が本体内部中央領域に形成されることになる。このようにして、収納ケース内部において、笛部分９と空間１１とが空気連通するようになっている。ケース開閉用のツメ１５が本体１０の左右側辺のいずれか一方の長手方向のほぼ中央に形成されている。さらに、表面側部分２と裏面側部分３とを嵌め合わせるための嵌合ツメ１７ａ、ｂが表面縁の左右側辺部の所定の位置に形成されている。嵌合ツメ１７ａ、ｂは、本実施例では、開閉ツメ１５が形成されていない側辺には２個設けられており、開閉ツメ１５が形成されている側辺には１個形成されているが、これらの数に限定されるものではない。
【００１２】
図５（ａ）は、収納ケース１が表面側部分２と裏面側部分３とに分離されたときの、単体となった裏面側部分３を内部からみたときの正面図であり、（ｂ）は（ａ）のＶ−Ｖ線における断面図であり、（ｃ）はVI−VI線における断面図である。裏面側部分３は、上部に吊り下げ部分８が設けられている点を除けば、表面側部分２と組み合わされたときに本体部分がぴったりと一致するような形状である。従って、吊り下げ部分８を除いた裏面側部分３と表面側部分２とは寸法形状共にほぼ同一である。表面側部分２と裏面側部分３とが組み合わされたときに表面側部分２に設けられた嵌合ツメ１７ａ、ｂに対応する裏面側部分の両側辺縁にツメ１７を受け入れるための凹部１９ａ、ｂが形成されている。さらに、図５の（ｃ）を参照すると、裏面部３の笛空間１１領域が両側部の錠剤収納空間１２、１３よりもケースの裏面側からみると内方向に凹部を形成するようにへこんでいる。従って、錠剤収納空間１２、１３は笛空間の領域より、外方に突出したような形状であり、裏面側から見ると、収納ケース１の本体は該本体の内方向に中央領域がへこんで、その両側が凸状の凹凸形状な面となっている。
【００１３】
このような構成からなる単体の表面側部分２と裏面側部分３とを組立てる際には、表面側部分２の縁に形成された嵌合ツメ17ａ、ｂを、これに対応する裏面側部分３の凹部１９ａ、ｂに嵌め込むことにより、一体化した収納ケース１が形成される。そして、ケース１内に薬剤等を収納する際には、開閉用ツメ１５により、嵌合ツメ１７ｂと受け入れ凹部１９ｂの嵌合を解除し、表面側部分を開く。本体内部は、リブ１６ａ、ｂにより仕切られているので、左右の空間１２，１３内に錠剤を収納する。従って、本体の大きさは、錠剤を少なくとも１つか、２つ以上収納できる程度の大きさであれば十分であるが、用途に応じて適宜変更可能である。使用時には、吊り下げ部分の貫通孔４に、紐、鎖あるいはゴムといった吊り下げ部品を通すことにより、収納ケース１をペンダントヘッドのようにして使用できる。
【００１４】
本件発明の第１の実施形態としてペンダント形式による収納ケース１を開示してきたが、第２の実施形態として、裏面側部分３側の両側部において該裏面幅方向に脚部を設け、これによりケース１の脚部間にベルトを通すようにして取り付けて使用することも可能である。
【００１５】
図６、７、８は本発明の第２の実施形態を表す収納ケースであり、収納ケース１の裏面にベルト通し部分が形成されている。以下、第１の実施形態と同一の部分については同一の符号で示す。
図６の（ａ）は、本発明の第２の実施形態による携帯薬剤収納ケース１´が完成された常態の正面図であり、（ｂ）は背面図である。携帯薬剤収納ケース１´は、表面側部分２と裏面側部分３´とから構成される。表面側部分及び裏面側部分は、第１の実施形態と同様に、アクリル樹脂、ポリカーボネート、ＡＢＳ樹脂、ポリプロピレンどの透明または半透明に着色された樹脂から成形されることが好ましい。さらに、表面側部分２、本体部１０、笛部分、吊り下げ部分８、シール貼り付け座７の構成については、第１の実施形態と同様であるので、説明を省略する。
図７の（ａ）は、図６に図示した収納ケース１´が完全体のときのVII−VII線における断面図であり、（ｂ）は図６（ａ）のVIII−VIII線における断面図である。図７の（ａ）、（ｂ）と図６の（ｂ）を参照すると、背面側部分３´にはベルト通し用の穴２１を形成するための脚部２０が左右対称に形成されている。ベルト通し用の穴２１にベルト２２が通された状態を図７の（ｂ）に示す。その他の構成については第１の実施形態と同様であるので説明を省略する。
【００１６】
図８の（ａ）は、単体となった裏面側部分３´を内部からみたときの正面図であり、（ｂ）は（ａ）のIX−IX線における断面図であり、（ｃ）は（ａ）のX−X線における断面図である。ベルト通し用の脚部２０が形成されている点を除けば、他の構成は第１の実施形態と同様であるので説明を省略する。
以上のように、本発明に係る収納ケース１、１´は首から吊り下げたり、あるいはベルトを通すことによりベルトに取り付けるようにして使用することができるが、このような態様に限定されるものではなく、着用者自身または他人がすぐに薬などを取り出せるような位置にケースを身に付けることができることができればいかなる取り付け方法を採用してもよい。
【００１７】
さらに、本体１０の表面側には、上述したがシールを貼り付けることができるようになっており、シールには所持者の緊急連絡先、既往症、所持している薬剤名等を記入することができる。そして、スポーツ時や天災などの緊急状態が発生した場合は、所持者は、自分で薬を取り出し飲める場合は、薬を取り出し飲めばよく、もし、人に通知したいときには収納ケース１の底部に形成された笛孔５を吹くことにより笛機能を使うことで傍にいる人間に異常状態を知らせることができる。万が一、自分で飲めないような状況のときであっても、笛機能を使用することで、他人に異常を知らせることができるし、それができない状態でも表面に貼り付けてあるシール等により、傍にいる人間が薬を飲ませたり、緊急連絡先に連絡できる。笛は、一般的に人間でなければ吹くことができず、機械音とも全く相違した音を発生する。これは、緊急時において非常に重要なことである。何故ならば、緊急な状態が発生したときに、機械音とは異なり、笛の音により明らかに近くにいる人間に異変が発生していることを、人は認識できるからである。
【００１８】
以上のように、本発明の構成により、携帯薬剤収納ケースでありながら笛機能を有し、さらにペンダントヘッドのようにして首から下げることができ、またベルトに通してベルトに取り付けることができるので、いざというときにも薬を取り出したり、笛を吹くことができるといった大きな利点を有するものである。
【図面の簡単な説明】
【００１９】
【図１】本発明に係る携帯薬剤収納ケースの概略斜視図である。
【図２】（ａ）は、本発明に係る第１実施形態の携帯薬剤収納ケースの完成された状態のときの正面図であり、（ｂ）は背面図である。
【図３】（ａ）は、図２に図示した携帯薬剤収納ケースのＩ−Ｉ線における断面図であり、（ｂ）はII−II線における断面図である。
【図４】（ａ）は本発明の携帯薬剤収納ケースの表面側部分の内面からみたときの正面図であり、（ｂ）は（ａ）のIII−III線における断面図であり、（ｃ）は（ａ）のIV−IV線における断面図である。
【図５】（ａ）は本発明の携帯薬剤収納ケースの裏面側部分の内面からみたときの正面図であり、（ｂ）は（ａ）のV−V線における断面図であり、（ｃ）は（ａ）のVI−VI線における断面図である。
【図６】（ａ）は、本発明に係る第２実施形態の携帯薬剤収納ケースの完成された状態のときの正面図であり、（ｂ）は背面図である。
【図７】（ａ）は、図６に図示した携帯薬剤収納ケースのVII−VII線における断面図であり、（ｂ）はVIII−VIII線における断面図である。
【図８】（ａ）は本発明の第２実施形態の携帯薬剤収納ケースの裏面側部分の内面からみたときの正面図であり、（ｂ）は（ａ）のIX−IX線における断面図であり、（ｃ）は（ａ）のX−X線における断面図である。
【符号の説明】
【００２０】
１、１´  携帯薬剤収納ケース
２  表面側部分
３、３´  裏面側部分
４  貫通孔
５  空気入口孔
６  空気出口孔
７  シール取り付け座
８  ケース吊り下げ部
９  笛部
１０  本体
１１  笛用空間
１２、１３  薬剤収納空間
１５  容器開閉用ツメ
１６ａ、ｂ  リブ
１７ａ、ｂ  嵌合ツメ
１９ａ、ｂ  凹部
２０  ベルト通し用脚部
【図１】
2007061244.tif 000003
【図２】
2007061244.tif 000004
【図３】
2007061244.tif 000005
【図４】
2007061244.tif 000006
【図５】
2007061244.tif 000007
【図６】
2007061244.tif 000008
【図７】
2007061244.tif 000009
【図８】
2007061244.tif 000010